(57)【要約】【課題】本発明は、ユーザが情報処理端末を手に持つことによってタッチセンサを誤ってタッチしてしまう誤操作を低減し、情報処理端末の操作性を向上することを目的とする。【解決手段】接触を検知するタッチセンサと、姿勢を検知する姿勢センサと、前記姿勢センサが検知した姿勢が水平でない場合に、前記タッチセンサのいずれかの部分に接触を検知したときは、前記タッチセンサの接触を検知した部分を含む前記タッチセンサの部分からの入力を受け付けないように制御する入力制御部と、を備える情報処理端末。【選択図】図１
2011180943.tif 000002
【特許請求の範囲】
【請求項１】
接触を検知するタッチセンサと、
姿勢を検知する姿勢センサと、
前記姿勢センサが検知した姿勢が水平から所定の角度以上である場合に、前記タッチセンサのいずれかの部分に接触を検知したときは、前記タッチセンサの接触を検知した部分を含む前記タッチセンサの部分からの入力情報をアプリケーション部に通知しないように制御する入力制御部と、を備える
情報処理端末。
【請求項２】
前記入力制御部は、前記姿勢センサが検知した姿勢が水平から所定の角度未満である場合に、前記タッチセンサのいずれかの部分に接触を検知したときは、前記タッチセンサの接触を検知した部分を含む前記タッチセンサの部分からの入力情報をアプリケーション部に通知するように制御する
請求項１に記載の携帯端末装置。
【請求項３】
前記入力制御部は、前記姿勢センサが検知した姿勢が水平から所定の角度以上である場合に、前記タッチセンサのいずれかの部分に所定時間以上の接触を検知したときは、前記タッチセンサの接触を検知した部分を含む前記タッチセンサの部分からの入力情報をアプリケーション部に通知しないように制御する
請求項１又は請求項２に記載の情報処理端末。
【請求項４】
接触を検知するタッチセンサと、
姿勢を検知する姿勢センサと、
前記姿勢センサが検知した姿勢が水平から所定の角度以上である場合に、前記タッチセンサの下半分のいずれかの部分に接触を検知したときは、前記タッチセンサの接触を検知した部分を含む前記タッチセンサの右下又は左下の部分からの入力情報をアプリケーション部に通知しないように制御する入力制御部と、を備える
情報処理端末。
【請求項５】
前記入力制御部は、前記姿勢センサが検知した姿勢が水平から所定の角度以上である場合に、前記タッチセンサの下半分のいずれかの部分に所定時間以上の接触を検知したときは、前記タッチセンサの接触を検知した部分を含む前記タッチセンサの右下又は左下の部分からの入力情報をアプリケーション部に通知しないように制御する
請求項４に記載の情報処理端末。
【請求項６】
接触を検知するタッチセンサと、
姿勢を検知する姿勢センサと、
前記姿勢センサが検知した姿勢が水平から所定の角度以上である場合に、前記タッチセンサの下半分のいずれかの２点に接触を検知したときは、前記タッチセンサの接触を検知した部分を含む前記タッチセンサの下半分からの入力情報をアプリケーション部に通知しないように制御する入力制御部と、を備える
情報処理端末。
【請求項７】
前記入力制御部は、前記姿勢センサが検知した姿勢が水平から所定の角度以上である場合に、前記タッチセンサの下半分のいずれかの２点に所定時間以上の接触を検知したときは、前記タッチセンサの下半分からの入力情報をアプリケーション部に通知しないように制御する
請求項６に記載の情報処理端末。
【請求項８】
接触を検知するタッチセンサと、
姿勢を検知する姿勢センサと、
前記姿勢センサが検知した姿勢が水平から所定の角度以上である場合に、前記タッチセンサの上半分のいずれかの部分に接触を検知したときは、前記タッチセンサの接触を検知した部分を含む前記タッチセンサの上端の部分からの入力情報をアプリケーション部に通知しないように制御する入力制御部と、を備える
情報処理端末。
【請求項９】
前記入力制御部は、前記姿勢センサが検知した姿勢が水平から所定の角度以上である場合に、前記タッチセンサの上半分のいずれかの部分に所定時間以上の接触を検知したときは、前記タッチセンサの接触を検知した部分を含む前記タッチセンサの上端の部分からの入力情報をアプリケーション部に通知しないように制御する
請求項８に記載の情報処理端末。
【発明の詳細な説明】
【技術分野】
【０００１】
本発明は、情報処理端末に関し、特にアプリケーションプログラムを実行する情報処理端末に関する。
【背景技術】
【０００２】
タッチセンサを備えた種々の情報処理端末が提供されている。これらの情報処理端末においては、ユーザによって情報処理端末が様々な持ち方をされる。このため、操作性の向上のためには、ユーザによる様々な持ち方を想定した制御が必要である。
【０００３】
例えば、特許文献１には、入力操作の対象とする入力装置について、携帯電話機の姿勢方向が何れであっても同一の操作性を提供することを目的として、入力手段が設けられた筐体の姿勢に応じて、入力操作を受け付ける複数の位置に対して割り当てる機能を変更させることが記載されている。
【０００４】
また、特許文献２には、ディジタルカメラにおいて、タッチセンサによって接触位置が検知され、接触位置を避けるように撮像画像の表示エリアが決定されることが記載されている。また、表示エリア以外のブランクエリアには、ズームボタンと表示切り換えボタンとが配置され、タッチ操作によりズーミングや表示モードの切り替えを行なうことができることも記載されている。
【先行技術文献】
【特許文献】
【０００５】
【特許文献１】特開２００６−３５０８１４号公報
【特許文献２】特開２００７−０２８５３６号公報
【発明の概要】
【発明が解決しようとする課題】
【０００６】
しかしながら、特許文献１、２によっても、ユーザが意図して指、スタイラスペン等でタッチする以外に、情報処理端末を手に持つことによってタッチセンサを誤ってタッチしてしまうという、誤操作の問題は解決されていない。この問題は、例えば、情報処理端末本体と比較してタッチセンサ部分が大型化するとより顕在化すると考えられる。
【０００７】
本発明は、前記従来の課題を解決するもので、ユーザが情報処理端末を手に持つことによってタッチセンサを誤ってタッチしてしまう誤操作を低減し、情報処理端末の操作性を向上することを目的とする。
【課題を解決するための手段】
【０００８】
前記課題を解決するために、本発明の情報処理端末は、接触を検知するタッチセンサと、姿勢を検知する姿勢センサと、前記姿勢センサが検知した姿勢が水平から所定の角度以上である場合に、前記タッチセンサのいずれかの部分に接触を検知したときは、前記タッチセンサの接触を検知した部分を含む前記タッチセンサの部分からの入力情報をアプリケーション部に通知しないように制御する入力制御部と、を備える。
【０００９】
また、本発明の情報処理端末は、接触を検知するタッチセンサと、
姿勢を検知する姿勢センサと、前記姿勢センサが検知した姿勢が水平から所定の角度以上である場合に、前記タッチセンサの下半分のいずれかの部分に接触を検知したときは、前記タッチセンサの接触を検知した部分を含む前記タッチセンサの右下又は左下の部分からの入力情報をアプリケーション部に通知しないように制御する入力制御部と、を備える。
【００１０】
また、本発明の情報処理端末は、接触を検知するタッチセンサと、姿勢を検知する姿勢センサと、前記姿勢センサが検知した姿勢が水平から所定の角度以上である場合に、前記タッチセンサの下半分のいずれかの２点に接触を検知したときは、前記タッチセンサの接触を検知した部分を含む前記タッチセンサの下半分からの入力情報をアプリケーション部に通知しないように制御する入力制御部と、を備える。
【００１１】
また、本発明の情報処理端末は、接触を検知するタッチセンサと、姿勢を検知する姿勢センサと、前記姿勢センサが検知した姿勢が水平から所定の角度以上である場合に、前記タッチセンサの上半分のいずれかの部分に接触を検知したときは、前記タッチセンサの接触を検知した部分を含む前記タッチセンサの上端の部分からの入力情報をアプリケーション部に通知しないように制御する入力制御部と、を備える。
【発明の効果】
【００１２】
ユーザが情報処理端末を手に持つことによってタッチセンサを誤ってタッチしてしまう誤操作を低減し、情報処理端末の操作性を向上できる。
【図面の簡単な説明】
【００１３】
【図１】本発明の実施の形態１における情報処理端末の概略構成を示すブロック図
【図２】本発明の実施の形態１における情報処理端末においてタッチ操作を禁止するときの動作を説明するフローチャート
【図３】本発明の実施の形態１における情報処理端末を片手で持った場合のタッチ禁止部分と、タッチ可能部分を示す図
【図４】本発明の実施の形態２における情報処理端末においてタッチ操作を禁止するときの動作を説明するフローチャート
【図５】本発明の実施の形態２における情報処理端末を両手で持った場合のタッチ禁止部分と、タッチ可能部分を示す図
【図６】本発明の実施の形態３における情報処理端末においてタッチ操作を禁止するときの動作を説明するフローチャート
【図７】本発明の実施の形態３における情報処理端末のタッチ禁止部分と、タッチ可能部分に関するユーザインタフェース画面の一例を示す図
【発明を実施するための形態】
【００１４】
以下、本発明の実施の形態について、図面を参照しながら説明する。
【００１５】
（実施の形態１）
図１は、本発明の実施の形態１における情報処理端末の概略構成を示すブロック図である。
【００１６】
図１に示すように、本発明の実施の形態１における情報処理端末は、姿勢センサ部２、入力制御部３、タッチセンサ部４、タイマ部５、アプリケーション部６、表示制御部７、表示部８を備えている。
【００１７】
姿勢センサ部２は、例えば、加速度センサ等の入力デバイスであり、入力制御部３に端末の姿勢情報を伝える。
【００１８】
入力制御部３は、タッチセンサ部４からの入力情報を受けたときに、姿勢センサ部２の入力情報を元に端末が水平から所定の角度以上である場合を判断する。水平から所定の角度以上である場合は、タッチセンサ部４からの入力情報（例えばタッチセンサを触れた場所の座標）はアプリケーション部６に伝えて、次の入力を待つ。水平から所定の角度以上でない場合は、タッチセンサ部４からの入力情報が指定された領域、例えば画面左下部を指し示しているかを判定する。その場合、タッチセンサ部４からの入力情報が所定の画面領域を所定時間以上経過しても指し示し続けているかを判断する。その時、タイマ部５から時間経過情報を取得し、所定時間以上経過を判断する。その場合、タッチセンサ部４からの入力情報が入力制御部３に伝えられても、入力制御部３はアプリケーション部６に入力情報を伝えない（タッチ操作禁止状態、以下同じ）。また、タッチセンサ部４からの入力情報が所定の画面領域から外れた場合、入力制御部３は再びタッチセンサ部４からの情報入力をアプリケーション部６に伝えることができる。なお、水平から所定の角度以上である場合の所定の角度は、ユーザが設定することもできる。また、タイマ部５から時間経過情報を取得し、所定時間以上経過を判断するときの所定時間はユーザが設定することもできる。
【００１９】
タッチセンサ部４は、指、スタイラスペンなどによる接触を検知した場合、画面上の位置（座標など）を表す入力情報として入力制御部３に伝える。
【００２０】
タイマ部５は、時間経過を入力情報として入力制御部３に伝える役割を持っている。本発明の場合、例えば画面下部を指し示していると判定した場合に入力制御部３はタイマ部５に計測開始を指示し、所定時間経過した場合、タイマ部５から入力制御部３に通知される。
【００２１】
アプリケーション部６は、入力制御部３によって伝えられるタッチセンサ部４からの入力情報（例えばタッチセンサを触れた場所の座標）を受けて、情報処理端末上でアプリケーションプログラムなどを実行する。アプリケーションプログラムによっては、表示制御部７を通して、表示部８にユーザインタフェースなどの表示を行う。
【００２２】
表示制御部７は、アプリケーション部６から受けた情報を元に画面を作成し、表示部８に表示させる。
【００２３】
表示部８は、例えば、ＬＣＤ（Ｌｉｑｕｉｄ  Ｃｒｙｓｔａｌ  Ｄｉｓｐｌａｙ）等の各種表示デバイスであり、表示制御部７の使用時における各種表示を行う。
【００２４】
図２は、本発明の実施の形態１における情報処理端末において、所定の画面領域をタッチ操作禁止状態にする動作を説明するフローチャートである。
【００２５】
まず、情報処理端末１はタッチセンサ部４からの入力があるまで待機する（ステップＳ２０１）。
【００２６】
タッチセンサ部４からの入力情報を検知した場合（ステップＳ２０２）、姿勢センサ部２の情報を元に、入力制御部３は情報処理端末１が水平から所定の角度以上であるか否かを判断する（ステップＳ２０３）。
【００２７】
水平から所定の角度以上でない場合（すなわち、水平から所定の角度未満の場合）（ステップＳ２０３、Ｎｏ）は、タッチセンサ部４の入力情報をアプリケーション部６に通知する（ステップＳ２０６）。水平から所定の角度以上である場合は（ステップＳ２０３、Ｙｅｓ）、タッチセンサ部４からの入力情報を元に、入力制御部３は予め設定された所定の画面領域がタッチされているか否かを判断する（ステップＳ２０４）。
【００２８】
予め設定された所定の画面領域がタッチされていない場合（ステップＳ２０４、Ｎｏ）は、タッチセンサ部４の入力情報をアプリケーション部６に通知する（ステップＳ２０６）。予め設定された所定の画面領域がタッチされている場合（ステップＳ２０４、Ｙｅｓ）は、タイマ部５の入力情報を元に、入力制御部３は所定時間以上、所定の画面領域をタッチしているか否かを判断する（ステップＳ２０５）。
【００２９】
所定時間以上タッチしていない場合（ステップＳ２０５、Ｎｏ）は、タッチセンサ部４の入力情報をアプリケーション部６に通知する（ステップＳ２０６）。所定の画面領域をタッチしている場合（ステップＳ２０５、Ｙｅｓ）は、タッチセンサ部４からの入力情報をアプリケーション部６に通知しない（ステップＳ２０７）。このことにより、アプリケーション部６はユーザからの操作を受け付けることが出来ない状態となり、ユーザが情報処理端末を持った際に、タッチセンサを誤ってタッチしてしまった場合のユーザが意図しない操作を防ぐことができる（タッチ操作禁止状態）。
【００３０】
タッチ操作禁止状態の場合に、所定の画面領域をタッチし続けている場合は（ステップＳ２０８）、タッチセンサ部４からの入力情報をアプリケーション部６に通知しない状態を継続する（タッチ操作禁止状態の継続）（ステップＳ２０７）。所定の画面領域をタッチしていない場合は、再びタッチセンサ部４からの入力情報を待機し、アプリケーション部６に通知可能な状態になる（タッチ操作禁止状態の解除）（ステップＳ２０１）。
【００３１】
図３は、本発明の実施の形態１における情報処理端末において、ユーザが情報処理端末を片手（左手）で持つことによって、タッチセンサ部４を誤ってタッチしてしまった場合のユーザが意図しない操作を防ぐときの動作イメージを示す図である。ユーザが、予め設定された所定の画面領域３０２を、情報処理端末の傾きが水平から所定の角度以上である場合で、所定時間以上持ち続けると、情報処理端末は、ユーザがその領域をタッチしても反応しないように前述のタッチ操作禁止状態にする。予め設定された所定の画面領域３０２以外の領域３０１はタッチ操作禁止状態ではないのでユーザはタッチ操作が可能となり、タッチセンサ部４に触れていても情報処理端末は誤動作することなく、安定して持つことができ、予め設定された所定の画面領域３０２以外の領域３０１はタッチ操作が可能となる。なお、図３は左手の場合を表しているが、右手の場合も同様である。
【００３２】
以上説明したように、本実施の形態１の情報処理端末によれば、ユーザが情報処理端末を手に持つことによってタッチセンサを誤ってタッチしてしまう誤操作を低減し、情報処理端末の操作性を向上できる。特に、片手持ちの場合などの誤操作の低減が図れる。
【００３３】
（実施の形態２）
本発明の実施の形態２について説明する。構成（ブロック図）は実施の形態１における図１と同様である。
【００３４】
図４は、本発明の実施の形態２における情報処理端末において、全画面領域をタッチ操作禁止にする動作を説明するフローチャートである。
【００３５】
まず、情報処理端末１はタッチセンサ部４からの入力があるまで待機する（ステップＳ４０１）。
【００３６】
タッチセンサ部４からの入力情報を検知した場合（ステップＳ４０２）、姿勢センサ部２の情報を元に、入力制御部３は情報処理端末１が水平から所定の角度以上であるか否かを判断する（ステップＳ４０３）。
【００３７】
水平から所定の角度以上でない場合（ステップＳ４０３、Ｎｏ）は、タッチセンサ部４の入力情報をアプリケーション部６に通知する（ステップＳ４０６）。水平から所定の角度以上である場合は（ステップＳ４０３、Ｙｅｓ）、タッチセンサ部４からの入力情報を元に、入力制御部３は予め設定された所定の画面領域がタッチされているか否かを判断する（ステップＳ４０４）。
【００３８】
予め設定された所定の画面領域がタッチされていない場合（ステップＳ４０４、Ｎｏ）は、タッチセンサ部４の入力情報をアプリケーション部６に通知する（ステップＳ４０６）。予め設定された所定の画面領域がタッチされている場合（ステップＳ４０４、Ｙｅｓ）は、タイマ部５の入力情報を元に、入力制御部３は所定時間以上、所定の画面領域をタッチしているか否かを判断する（ステップＳ４０５）。
【００３９】
所定時間以上タッチしていない場合（ステップＳ４０５、Ｎｏ）は、タッチセンサ部４の入力情報をアプリケーション部６に通知する（ステップＳ４０６）。所定の画面領域をタッチしている場合（ステップＳ４０５、Ｙｅｓ）は、タッチセンサ部４からの入力情報をアプリケーション部６に通知しない（ステップＳ４０７）。このことにより、アプリケーション部６はユーザからの操作を受け付けることが出来ない状態となり、ユーザが情報処理端末を持った際に、タッチセンサを誤ってタッチしてしまった場合のユーザが意図しない操作を防ぐことができる（タッチ操作禁止状態）。
【００４０】
タッチ操作禁止状態の場合に、所定の画面領域をタッチし続けている場合は（ステップＳ４０８）、継続してタッチセンサ部４からの入力情報をアプリケーション部６に通知しない（タッチ操作禁止状態の継続）（ステップＳ４０７）。所定の画面領域をタッチしていない場合は、再びタッチセンサ部４からの入力情報を待機し、アプリケーション部６に通知可能な状態になる（タッチ操作禁止状態の解除）（ステップＳ４０１）。
【００４１】
図５は、本発明の実施の形態２における情報処理端末において、ユーザが情報処理端末を両手で持つことによってタッチセンサ部４を誤ってタッチしてしまう誤操作を防ぐときの動作イメージを示す図である。図３のイメージを基に、両手で持った場合のイメージを想定した図である。ユーザが、予め定義された領域５０２、５０３を、情報処理端末の姿勢が水平から所定の角度以上である状態で、所定時間以上持ち続けると、情報処理端末は所定の画面領域をタッチしても操作が出来ないようにタッチ操作禁止状態にする。この場合はユーザが両手で持っているので、ユーザによるタッチ操作が可能な領域５０１の領域もタッチ操作をする場合は無いと捉え、全ての画面領域（５０１、５０２、５０３）をタッチしても操作が出来ないように、全画面領域をタッチ操作禁止状態にすることができる。例えば、観覧専用モードにするといったことも可能である。この場合、タッチセンサ部４からのすべての入力情報を、入力制御部３がアプリケーション部６に通知しないようにすることで、ユーザが情報処理端末を両手で持った場合に、タッチセンサ部４に誤って触れても端末は誤動作することがなく、情報処理端末を安定して持つことができる。
【００４２】
以上説明したように、本実施の形態２の情報処理端末によれば、ユーザが情報処理端末を手に持つことによってタッチセンサを誤ってタッチしてしまう誤操作を低減し、情報処理端末の操作性を向上できる。特に、両手持ちの場合の誤操作の低減などが図れる。
【００４３】
（実施の形態３）
本発明の実施の形態３について説明する。構成（ブロック図）は実施の形態１における図１と同様である。
【００４４】
図６は、本発明の実施の形態３における情報処理端末において、画面上部をタッチ操作禁止にし、ユーザインタフェースを画面下部に表示する動作を説明するフローチャートである。
【００４５】
まず、情報処理端末１はタッチセンサ部４からの入力があるまで待機する（ステップＳ６０１）。
【００４６】
タッチセンサ部４からの入力情報を検知した場合（ステップＳ６０２）、姿勢センサ部２の情報を元に、入力制御部３は情報処理端末１が水平から所定の角度以上であるか否かを判断する（ステップＳ６０３）。
【００４７】
水平から所定の角度以上でない場合（ステップＳ６０３、Ｎｏ）は、タッチセンサ部４の入力情報をアプリケーション部６に通知する（ステップＳ６０６）。水平から所定の角度以上である場合は（ステップＳ６０３、Ｙｅｓ）、タッチセンサ部４からの入力情報を元に、入力制御部３は予め設定された所定の画面領域がタッチされているか否かを判断する（ステップＳ６０４）。
【００４８】
予め設定された所定の画面領域がタッチされていない場合（ステップＳ６０４、Ｎｏ）は、タッチセンサ部４の入力情報をアプリケーション部６に通知する（ステップＳ６０６）。予め設定された所定の画面領域がタッチされている場合（ステップＳ６０４、Ｙｅｓ）は、タイマ部５の入力情報を元に、入力制御部３は所定時間以上、所定の画面領域をタッチしているか否かを判断する（ステップＳ６０５）。
【００４９】
所定時間以上タッチしていない場合（ステップＳ６０５、Ｎｏ）は、タッチセンサ部４の入力情報をアプリケーション部６に通知する（ステップＳ６０６）。所定の画面領域をタッチしている場合（ステップＳ６０５、Ｙｅｓ）は、タッチセンサ部４からの入力情報が、所定の画面領域内であれば、アプリケーション部６に通知しない（ステップＳ６０７）。しかし、タッチセンサ部４からの入力情報が、所定の画面領域内以外であれば、アプリケーション部６に通知する。このことにより、アプリケーション部６は所定の画面領域内に関するユーザからの操作を受け付けることが出来ない状態となり、ユーザが情報処理端末を持った際に、タッチセンサを誤ってタッチしてしまった場合のユーザが意図しない操作を防ぐことができる（タッチ操作禁止状態）。また、所定の画面領域内以外の入力情報はアプリケーション部６に通知することができる。
【００５０】
タッチ操作禁止状態の場合に、所定の画面領域をタッチし続けている場合は（ステップＳ６０８）、継続してタッチセンサ部４からの入力情報をアプリケーション部６に通知しない（タッチ操作禁止状態の継続）（ステップＳ６０７）。所定の画面領域をタッチしていない場合は、再びタッチセンサ部４からの入力情報を待機し、アプリケーション部６に通知可能な状態になる（タッチ操作禁止状態の解除）（ステップＳ６０１）。
【００５１】
図７は、図３、図５以外の端末の持ち方をした場合にタッチセンサ部４に触れた場合と、その場合の画面表示の応用例を示す。
【００５２】
例えば、端末上部を持った場合、ユーザが、端末上部の領域７０１を予め定義しておき、図３の領域３０２や図５の領域５０２、５０３と同様に領域７０１をタッチしても反応しないようにタッチ操作禁止状態にすることができる。また、その場合、領域７０１以外の画面部分はタッチ操作が可能であるため、例えばメニューのようなユーザインタフェース７０２をアプリケーション部６が用意し、表示制御部７を通して表示部８に表示することができる。ユーザは、タッチしていないもう一方の手を使用して、このユーザインタフェースを操作することができる。このように、タッチ操作禁止状態になる契機を利用して、ユーザインタフェースを切り替えることもできる。
【００５３】
なお、タッチセンサ部４には、指やスタイラスペンが触れたことを検知したときに、タッチプレスイベント、離れたことを検知したときにタッチリリースイベントを送出するといった機能が備わっている場合がある。
【００５４】
その場合、図２、Ｓ２０５のような所定時間以上タッチし続けるという表現は、タッチセンサ部４からのタッチプレスイベントを入力制御部３が受け取った時から時間を計測し始め、所定時間以上経過したことをタイマ部５を通じて入力制御部３が判定するという動作を表す。
【００５５】
同様に、図２、Ｓ２０８のようなタッチし続けているか否かを判断する場合に、タッチリリースイベントで判断することができる。
【００５６】
このように、所定時間以上経過したことを判断する場合にはタッチリリースイベントを利用できるので、図２、Ｓ２０２でタッチセンサ部４からの入力情報としてタッチプレスイベントが送出された場合、入力制御部３はアプリケーション部６にタッチプレスイベントが送出されたことを通知してもよい。
【００５７】
以上説明したように、本実施の形態３の情報処理端末によれば、ユーザが情報処理端末を手に持つことによってタッチセンサを誤ってタッチしてしまう誤操作を低減し、情報処理端末の操作性を向上できる。特に、上持ちの場合の誤操作の低減などが図れる。
【産業上の利用可能性】
【００５８】
本発明にかかる情報処理端末は、ユーザが情報処理端末を手に持つことによってタッチセンサを誤ってタッチしてしまう誤操作を低減し、情報処理端末の操作性を向上できるので、手に持つことでタッチセンサ画面を誤って触れてしまう恐れのある携帯電話やスマートフォン、ＰＣなどに有用である。
【符号の説明】
【００５９】
１    情報処理端末
２    姿勢センサ部
３    入力制御部
４    タッチセンサ部
５    タイマ部
６    アプリケーション部
７    表示制御部
８    表示部
３０１    タッチ操作が可能な領域
３０２    タッチ操作を禁止するか否かを判断する領域、また禁止する領域
５０１    タッチ操作が可能な領域
５０２    タッチ操作を禁止するか否かを判断する領域、また禁止する領域
５０３    タッチ操作を禁止するか否かを判断する領域、また禁止する領域
７０１    タッチ操作を禁止するか否かを判断する領域、また禁止する領域
７０２    タッチ操作が可能な領域、またユーザインタフェースを表示する領域
【図１】
2011180943.tif 000003
【図２】
2011180943.tif 000004
【図３】
2011180943.tif 000005
【図４】
2011180943.tif 000006
【図５】
2011180943.tif 000007
【図６】
2011180943.tif 000008
【図７】
2011180943.tif 000009